(57)【要約】      （修正有）【課題】タッチパネル上の操作状態を確実に検出し、その操作に応じて所望の動作を確実に実行することができるようにする。【解決手段】再生装置を有するデジタルカメラは、タッチパネル７上に直交座標系を定め、タッチパネル７上の操作位置を検出すると、その操作位置の位置データを直交座標系で出力するタッチパネル検出回路１９と、液晶モニタ１８にコンテンツデータと操作領域を示す操作支援マークとを表示し、タッチパネル検出回路１９からの位置データが操作支援マークで示される領域に在るときは、この位置データに対して操作支援マークの形状に応じた座標変換を行い、その変換後の位置データから操作量を算出し、その操作量に応じて記録メディア１３からコンテンツデータを選択し表示するよう制御するシステムコントローラ１２等を有する。【選択図】図２
2006119854.tif 000002
【特許請求の範囲】
【請求項１】
コンテンツデータを記録した記録メディアと、
コンテンツデータを表示する表示モニタと、
前記表示モニタに重ねて配置されたタッチパネルと、
前記タッチパネル上に直交座標系を定め、前記タッチパネル上の操作位置を検出すると、該検出した操作位置に係る位置データを直交座標系で出力する検出回路と、
前記表示モニタにコンテンツデータと操作領域を示す操作支援マークとを表示し、前記検出回路からの位置データが前記操作支援マークで示される領域に在るときは、当該位置データから操作量を算出し、該算出した操作量に応じて前記記録メディアからコンテンツデータを選択し表示する制御回路と、
を有し、
前記制御回路は、前記検出回路からの位置データに対して前記操作支援マークの形状に応じた座標の変換動作を実行後、操作量の算出を行う、
ことを特徴とするコンテンツデータの再生装置。
【請求項２】
前記座標の変換動作は、直交座標系から極座標系へ変換する動作である、
ことを特徴とする請求項１記載のコンテンツデータの再生装置。
【請求項３】
前記極座標系の基準位置は、前記操作支援マークの中央に定義される、
ことを特徴とする請求項２記載のコンテンツデータの再生装置。
【請求項４】
前記操作支援マークは、ドーナツ状の形状を有する、
ことを特徴とする請求項１記載のコンテンツデータの再生装置。
【請求項５】
前記座標の変換動作は、座標軸を所定角度で回転させる回転移動を行う動作である、
ことを特徴とする請求項１記載のコンテンツデータの再生装置。
【請求項６】
前記回転移動によって前記操作支援マークの中心線が座標軸のいずれか一方と重なる、
ことを特徴とする請求項５記載のコンテンツデータの再生装置。
【請求項７】
前記操作支援マークは、前記表示モニタの対角線にそって配置された帯状の形状を有する、
ことを特徴とする請求項１記載のコンテンツデータの再生装置。
【請求項８】
コンテンツデータを記録した記録メディアと、
コンテンツデータを表示する表示モニタと、
前記表示モニタに重ねて配置されたタッチパネルと、
前記タッチパネル上に直交座標系を定め、前記タッチパネル上の操作位置を検出すると、該検出した操作位置に係る位置データを直交座標系で出力する検出回路と、
前記表示モニタにコンテンツデータとタップ操作を受け付ける領域を示す第一の操作支援マークと摺動操作を受け付ける領域を示す第二の操作支援マークとを表示し、前記検出回路からの位置データが前記第一又は第二の何れかの操作支援マークで示される領域に在るときは、該領域に応じてタップ操作又は摺動操作を検出し、前記記録メディアからコンテンツデータを選択し表示する制御回路と、
を有し、
前記制御回路は、前記第一の操作支援マークで示される領域に前記位置データが存在するかを前記検出回路の直交座標系に基づいて判定し、前記第二の操作支援マークで示される領域に前記位置データが存在するかを判定する際には、前記第二の操作支援マークの形状に応じて座標の変換動作を実行する、
ことを特徴とするコンテンツデータの再生装置。
【請求項９】
前記制御回路は、前記第一の操作支援マークで示される領域でタップ操作を検出すると、コンテンツデータを観賞する第一状態とコンテンツデータをスクロール表示できる第二状態との何れか一方を選択し、前記第二状態において前記第二の操作支援マークで示される領域で摺動操作を検出すると、検出した摺動操作の操作量と方向に応じて前記記録メディアからコンテンツデータを選択して表示する、
ことを特徴とする請求項８記載のコンテンツデータの再生装置。
【請求項１０】
前記第二の操作支援マークは、ドーナツ状の形状或いは前記表示モニタの対角線に沿って配置された帯状の形状を有する、
ことを特徴とする請求項８記載のコンテンツデータの再生装置。
【請求項１１】
コンテンツデータを記録した記録メディアと、
コンテンツデータを表示する表示モニタと、
前記表示モニタに重ねて配置されたタッチパネルと、
前記タッチパネル上の位置を複数の座標系で定義可能であって、検出した前記タッチパネル上の操作位置を、指定された座標系の位置データとして出力する検出回路と、
前記表示モニタにコンテンツデータと操作領域を示す操作支援マークとを表示し、前記検出回路からの位置データが前記操作支援マークで示される領域に在るときは、当該位置データから算出した操作量に応じて前記記録メディアからコンテンツデータを選択し表示する制御回路と、
を有し、
前記制御回路は前記操作支援マークの形状に適した座標系を前記検出回路へ指定し、前記検出回路は前記タッチパネルに予め定められた直交座標系で検出した位置データを座標変換して前記指定された座標系の位置データとして前記制御回路へ出力する、
ことを特徴とするコンテンツデータの再生装置。
【請求項１２】
請求項１乃至１１の何れか一項に記載のコンテンツデータの再生装置を備えた、
ことを特徴とするカメラ。
【請求項１３】
コンテンツデータを記録した記録メディアと、コンテンツデータを表示する表示モニタと、前記表示モニタに重ねて配置されたタッチパネルと、を有する再生装置におけるコンテンツデータの選択及び再生方法であって、
前記表示モニタに、コンテンツデータと操作領域を示す操作支援マークとを表示し、
前記タッチパネル上の操作位置を検出すると、該検出した操作位置に係る位置データを前記タッチパネル上に予め定められた直交座標系で出力し、
該出力した位置データが前記操作支援マークで示される領域に在るときは、当該位置データに対して前記操作支援マークの形状に応じた座標の変換動作を実行し、
該座標の変換動作を実行した後の位置データから操作量を算出し、
該算出した操作量に応じて前記記録メディアからコンテンツデータを選択し表示する、
ことを特徴とするコンテンツデータの選択及び再生方法。
【請求項１４】
コンテンツデータを記録した記録メディアと、コンテンツデータを表示する表示モニタと、前記表示モニタに重ねて配置されたタッチパネルと、を有する再生装置におけるコンテンツデータの選択及び再生方法であって、
前記表示モニタに、コンテンツデータとタップ操作を受け付ける領域を示す第一の操作支援マークと摺動操作を受け付ける領域を示す第二の操作支援マークとを表示し、
前記タッチパネル上の操作位置を検出すると、該検出した操作位置に係る位置データを、前記タッチパネル上に予め定められた直交座標系で出力し、
該出力した位置データが前記第一の操作支援マークで示される領域に存在するかを、前記直交座標系に基づいて判定し、
前記出力した位置データが前記第二の操作支援マークで示される領域に存在するかを、前記第二の操作支援マークの形状に応じた座標の変換動作の実行結果に基づいて判定し、
前記出力した位置データが前記第一又は第二の何れかの操作支援マークで示される領域に存在するときは、該領域に応じてタップ操作又は摺動操作を検出し、前記記録メディアからコンテンツデータを選択し表示する、
ことを特徴とするコンテンツデータの選択及び再生方法。
【請求項１５】
コンテンツデータを記録した記録メディアと、コンテンツデータを表示する表示モニタと、前記表示モニタに重ねて配置されたタッチパネルと、を有する再生装置におけるコンテンツデータの選択及び再生方法であって、
前記表示モニタに、コンテンツデータと操作領域を示す操作支援マークとを表示し、
前記操作支援マークの形状に適した座標系を指定し、
前記タッチパネル上に予め定められた直交座標系で検出した前記タッチパネル上の操作位置に係る位置データを座標変換して前記指定した座標系の位置データとして出力し、
該出力した位置データが前記操作支援マークで示される領域に在るときは、当該位置データから算出した操作量に応じて前記記録メディアからコンテンツデータを選択し表示する、
ことを特徴とするコンテンツデータの選択及び再生方法。
【発明の詳細な説明】
【技術分野】
【０００１】
本発明は、画像，音楽，書籍等の電子データを選択再生する装置、及び方法に関する。
【背景技術】
【０００２】
従来、画像，音楽，書籍等の電子データを再生する装置がある。このような再生装置では、一般に、メモリに記録された画像，音楽，書籍等の電子データを、ユーザの指示に応じて再生することができるようになっている。近年においては、そのメモリの価格が低下したことにより、大容量のメモリが使用されるようになってきている。
【０００３】
例えば、画像再生装置でもあるデジタルカメラでは、一つのメモリに記録可能な画像数が益々増えており、そのため、大量の画像が記録されたメモリから所望の画像を短時間で検索するための効率的な検索手段が必要になっている。この画像検索のための手段として良く知られ且つ実際に利用されているものは、複数のサムネイル画像を一括表示させ、これを十字キー等の操作に応じて順次送るようにした手段である。また、これ以外の手段としてジョグダイヤルを利用するものもある。例えば、特許文献１には、ＬＣＤ（ Liquid Crystal Display ）搭載面の反対側の面にジョグダイヤルを設け、このジョグダイヤルの回転操作に応じてＬＣＤに表示させる画像を順次切り換えるようにした手段が提案されている。
【０００４】
一方、公知の入力手段として、タッチパネルがある。タッチパネルは、一般に、操作面積が必要になることから表示画面が小さい携帯型の機器には不向きであったが、最近ではＬＣＤの価格が下がり、例えばデジタルカメラ等のような携帯型の機器であってもサイズが大きいＬＣＤが搭載されるようになり、併せてタッチパネルも利用し易い環境になってきている。
【０００５】
タッチパネルを利用して各種操作を行うことが可能な例えばデジタルカメラにおいては、画像検索のための手段として、一般に、押し釦的形式による画像送りが知られているが、これ以外にも、例えば特許文献２には、タッチパネル面が水平になぞり操作されると、そのときのなぞり方向と速度に応じて画像再生速度を変化させるようにした手段が提案されている。
【特許文献１】特開平１１−２３１９８９号公報
【特許文献２】特開２００４−１０４５９４号公報
【発明の開示】
【発明が解決しようとする課題】
【０００６】
ところで、表示画面に重ねて配置されたタッチパネル使い、例えば指で特許文献１のようにジョグダイヤルを操作する如くなぞることで、所望のデータを選択することができると操作し易い。
【０００７】
一般的に、タッチパネルの操作位置を示すデータは、タッチパネル上に設定された直交座標系で定義され、座標軸はタッチパネルの縁に平行に定義される。従って特許文献２の如くタッチパネルの縁に平行な直線上をなぞる操作は、直交座標系の座標軸に平行な操作となる。従って、なぞる操作は一次元の情報として処理可能になり操作状態の検出は容易である。
【０００８】
一方、ジョグダイヤルの如く略円形の軌跡のなぞる操作を検出することは容易ではない。さらにタッチパネル上の任意の位置でこのような操作を検出することは更に容易ではない。
【０００９】
本発明は、上記実情に鑑み、タッチパネル上の操作状態を確実に検出し、その操作に応じて所望の動作を確実に実行することができる、装置及び方法を提供することを目的とする。
【課題を解決するための手段】
【００１０】
上記目的を達成するため、本発明の第１の態様に係るコンテンツデータの再生装置は、コンテンツデータを記録した記録メディアと、コンテンツデータを表示する表示モニタと、前記表示モニタに重ねて配置されたタッチパネルと、前記タッチパネル上に直交座標系を定め、前記タッチパネル上の操作位置を検出すると、該検出した操作位置に係る位置データを直交座標系で出力する検出回路と、前記表示モニタにコンテンツデータと操作領域を示す操作支援マークとを表示し、前記検出回路からの位置データが前記操作支援マークで示される領域に在るときは、当該位置データから操作量を算出し、該算出した操作量に応じて前記記録メディアからコンテンツデータを選択し表示する制御回路と、を有し、前記制御回路は、前記検出回路からの位置データに対して前記操作支援マークの形状に応じた座標の変換動作を実行後、操作量の算出を行う、構成である。
【００１１】
本発明の第２の態様に係るコンテンツデータの再生装置は、上記第１の態様において、前記座標の変換動作は、直交座標系から極座標系へ変換する動作である、とした構成である。
【００１２】
本発明の第３の態様に係るコンテンツデータの再生装置は、上記第２の態様において、前記極座標系の基準位置は、前記操作支援マークの中央に定義される、とした構成である。
【００１３】
本発明の第４の態様に係るコンテンツデータの再生装置は、上記第１の態様において、前記操作支援マークは、ドーナツ状の形状を有する、とした構成である。
本発明の第５の態様に係るコンテンツデータの再生装置は、上記第１の態様において、前記座標の変換動作は、座標軸を所定角度で回転させる回転移動を行う動作である、とした構成である。
【００１４】
本発明の第６の態様に係るコンテンツデータの再生装置は、上記第５の態様において、前記回転移動によって前記操作支援マークの中心線が座標軸のいずれか一方と重なる、とした構成である。
【００１５】
本発明の第７の態様に係るコンテンツデータの再生装置は、上記第１の態様において、前記操作支援マークは、前記表示モニタの対角線にそって配置された帯状の形状を有する、とした構成である。
【００１６】
本発明の第８の態様に係るコンテンツデータの再生装置は、コンテンツデータを記録した記録メディアと、コンテンツデータを表示する表示モニタと、前記表示モニタに重ねて配置されたタッチパネルと、前記タッチパネル上に直交座標系を定め、前記タッチパネル上の操作位置を検出すると、該検出した操作位置に係る位置データを直交座標系で出力する検出回路と、前記表示モニタにコンテンツデータとタップ操作を受け付ける領域を示す第一の操作支援マークと摺動操作を受け付ける領域を示す第二の操作支援マークとを表示し、前記検出回路からの位置データが前記第一又は第二の何れかの操作支援マークで示される領域に在るときは、該領域に応じてタップ操作又は摺動操作を検出し、前記記録メディアからコンテンツデータを選択し表示する制御回路と、を有し、前記制御回路は、前記第一の操作支援マークで示される領域に前記位置データが存在するかを前記検出回路の直交座標系に基づいて判定し、前記第二の操作支援マークで示される領域に前記位置データが存在するかを判定する際には、前記第二の操作支援マークの形状に応じて座標の変換動作を実行する、構成である。
【００１７】
本発明の第９の態様に係るコンテンツデータの再生装置は、上記第８の態様において、前記制御回路は、前記第一の操作支援マークで示される領域でタップ操作を検出すると、コンテンツデータを観賞する第一状態とコンテンツデータをスクロール表示できる第二状態との何れか一方を選択し、前記第二状態において前記第二の操作支援マークで示される領域で摺動操作を検出すると、検出した摺動操作の操作量と方向に応じて前記記録メディアからコンテンツデータを選択して表示する、構成である。
【００１８】
本発明の第１０の態様に係るコンテンツデータの再生装置は、上記第８の態様において、前記第二の操作支援マークは、ドーナツ状の形状或いは前記表示モニタの対角線に沿って配置された帯状の形状を有する、とした構成である。
【００１９】
本発明の第１１の態様に係るコンテンツデータの再生装置は、コンテンツデータを記録した記録メディアと、コンテンツデータを表示する表示モニタと、前記表示モニタに重ねて配置されたタッチパネルと、前記タッチパネル上の位置を複数の座標系で定義可能であって、検出した前記タッチパネル上の操作位置を、指定された座標系の位置データとして出力する検出回路と、前記表示モニタにコンテンツデータと操作領域を示す操作支援マークとを表示し、前記検出回路からの位置データが前記操作支援マークで示される領域に在るときは、当該位置データから算出した操作量に応じて前記記録メディアからコンテンツデータを選択し表示する制御回路と、を有し、前記制御回路は前記操作支援マークの形状に適した座標系を前記検出回路へ指定し、前記検出回路は前記タッチパネルに予め定められた直交座標系で検出した位置データを座標変換して前記指定された座標系の位置データとして前記制御回路へ出力する、構成である。
【００２０】
尚、本発明は、上記装置に限らず、上記のコンテンツデータの再生装置を備えたカメラとして構成することもでき、また、再生装置におけるコンテンツデータの選択及び再生方法として構成することもできる。
【発明の効果】
【００２１】
本発明によれば、表示画面に重ねて配置されたタッチパネルを操作できる電子機器において、操作領域を示す操作支援マークを表示し、このマークで示された領域で操作する際に適した座標系を設定して、タッチパネル上の操作位置データを検出し、操作領域と操作方法に適した座標系で定義された操作位置データを用いることによって、操作状態を確実に検出することができ、その操作に応じた所望の動作を確実に実行することができる。
【発明を実施するための最良の形態】
【００２２】
以下、本発明の実施例を図面を参照しながら説明する。
【実施例１】
【００２３】
図１Ａ及び図１Ｂは、本発明の実施例１に係る再生装置を適用したデジタルカメラの外観斜視図である。
同図Ａ及びＢに示したように、デジタルカメラ１は、当該カメラ正面に撮影レンズ２を備え、当該カメラ上面に撮影指示を行うためのレリーズＳＷ（スイッチ）３を備え、当該カメラ左側面にヘッドフォン等が接続されるジャック４を備えている。また、当該カメラ背面には、撮影モードの設定指示を行うためのＲＥＣモードＳＷ５と、再生モードの設定指示等を行うためのＰＬＡＹモードＳＷ６と、指や専用のペン或いはスティック等でタップ或いはなぞる等の操作により当該カメラへの各種の入力や指示等を可能にする、液晶モニタ上に設けられたタッチパネル７を備えている。尚、タップ操作には、触れる，押圧する，若しくはタッチする等の操作も含まれ、また、なぞる操作には、擦る，摺動する，若しくは摺接する等の操作も含まれる。
【００２４】
図２は、デジタルカメラ１の主要構成を示す図である。
同図において、ＣＣＤ（ Charge Coupled Devices ）８は、撮影レンズ２により結像された被写体像を電気信号（アナログ電気信号）に光電変換する。ＣＣＤインターフェース回路９は、ＣＣＤ８により光電変換された電気信号に対し所定の撮像処理を行い一定形式の画像データ（デジタル電子データ）を得る。
【００２５】
ＦｌａｓｈＲｏｍ１０には、当該カメラ１全体の動作を制御するための制御プログラムやその制御プログラムの実行に必要な各種データが記録されている。
ＳＤＲＡＭ（ Synchronous DRAM ）１１は、ＣＣＤインターフェース回路９により得られた画像データの一時格納用、及びシステムコントローラ１２のワークエリア等として使用される。
【００２６】
システムコントローラ１２は、内部にＣＰＵを備え、当該ＣＰＵがＦｌａｓｈＲｏｍ１０に記録されている制御プログラムを読み出し実行することにより、当該カメラ１全体の動作を制御する。また、システムコントローラ１２は、所定の画像処理や、画像データの圧縮／伸長処理等も行う。
【００２７】
記録メディア（メディアカード）１３は、例えばメモリカードや小型ＨＤＤ（ハードディスク）等、当該カメラ１に着脱自在の記録媒体である。
マイク（マイクロフォン）１４は、音声を電気信号（アナログ電気信号）に変換する。音声コーデック回路１５は、マイク１４により変換された電気信号に対し所定のコード処理を行い一定形式の音声データ（デジタル電子データ）を得る。また、音声コーデック回路１５は、その音声データに対し所定のデコード処理を行いヘッドフォン１６等の外部の発音装置が発音可能な形式の音声信号（アナログ電気信号）を得る。ジャック１７は、音声コーデック回路１５とヘッドフォン１６等の外部の発音装置とを接続するためのコネクターである。ヘッドフォン１６は、入力された音声信号に応じて発音する。
【００２８】
タッチパネル７は、透明のスクリーン状であって、液晶モニタ１８に重ねて配置され、指や専用のペン或いはスティック等で当該パネルをタップ或いはなぞる等の操作により当該カメラ１への各種の入力や指示を可能にするものである。タッチパネル検出回路１９は、指や専用のペン或いはスティック等がタッチパネル７に触れられているときに、その接触位置（操作位置とも言う）を検出する。
【００２９】
液晶モニタ駆動回路２０は、液晶モニタ１８を駆動し、液晶モニタ１８は、液晶モニタ駆動回路２０による駆動に応じて画像や各種メニュー等を表示する。
白黒ＬＣＤ２１は、当該カメラ１の設定状態を表示する。カメラ操作ＳＷ２２は、前述のレリーズＳＷ３，ＲＥＣモードＳＷ５，ＰＬＡＹモードＳＷ６等を含み、当該カメラ１への所定の指示を行うためのＳＷである。ＵＳＢ（ Universal Serial Bus ）コントローラ２３は、当該カメラ１とＵＳＢにより接続されている外部機器との間でデータの送受を行うための制御を行う。
【００３０】
このような構成により、例えばＲＥＣモードＳＷ５が操作される等して撮影モードが設定されているときにレリーズＳＷ３が操作されると、結像面に結像されている被写体像がＣＣＤ８により電気信号に光電変化され、更にＣＣＤインターフェース回路９により所定の画像処理が行われて一定形式の画像データが得られる。この画像データは、システムコントローラ１２により、所定の画像処理が行われた後、更に画像圧縮処理が行われて、記録メディア１３に記録される。尚、この記録の際には、画像データと駒番号（フレーム番号とも言う）とが対応付けされて記録される。ここで、記録される画像データと駒番号を対応付けさせる方法は次のようなものがある。１：駒番号がファイル名の一部を含む形式で画像データを記録する。２：画像データの属性情報に駒番号を記録する。本実施例では、記録される画像データと駒番号の対応付けが前記１の方法で行われるものとする。このような方法で記録メディア１３へ画像データを記録することで、後に駒番号に基づく検索が可能になる。
【００３１】
また、撮影モードであるときに、所定の操作により当該カメラに録音指示が行われると所定時間の録音が可能になっており、この場合には、音声がマイク１４により電気信号に変換され、音声コーデック回路１５によりコード処理が行われて一定形式の音声データが得られる。そして、その音声データが記録メディア１３に記録される。
【００３２】
一方、例えばＰＬＡＹモードＳＷ６が操作される等して再生モードが設定されているときに、後述する、指や専用のペン或いはスティック等によるタッチパネル７の操作によって記録メディア１３に記録されている特定の画像データの選択、再生指示が為されると、その画像データが記録メディア１３から読み出される。そして、読み出された画像データは、システムコントローラ１２により画像伸長処理が行われて、液晶モニタ１８に表示される。
【００３３】
また、同様にして記録メディア１３に記録されている特定の音声データの選択、再生指示が為されると、その音声データが記録メディア１３から読み出される。そして、読み出された音声データは、音声コーデック回路１５によりデコード処理が行われ、例えばジャック１７に接続されているヘッドフォン１６により発音される。
【００３４】
図３は、このデジタルカメラ１の液晶モニタ１８の表示画面に表示されるデータ（例えば撮影された画像データに係る画像）と共に合成されて表示される操作支援マークの一例を示す図である。
【００３５】
同図に示したように、液晶モニタ１８の表示画面２６には、例えば撮影された画像データに係る画像（不図示）と共に第一の操作支援マーク２５（以下単に「操作支援マーク２５」という）と第二の操作支援マーク２４（以下単に「操作支援マーク２４」という）とが合成されて表示される。尚、これらの操作支援マーク２４，２５は、液晶モニタ１８上に重ねて配置されたタッチパネル７の操作をし易くするために表示される。
【００３６】
操作支援マーク２４は、ドーナツ状の形状を有しており、液晶モニタ１８の表示画面中央に配置される。この操作支援マーク２４の同図網掛部分は、画像に合成されて表示されても画像の確認が可能になるようにハーフトーン状（半透明状）に表示される。このときに、カメラ操作者は、この操作支援マーク２４の領域（同図網掛部分）に対応するタッチパネル７の操作領域を指や専用のペン或いはスティック等で同図矢印方向（ＣＷ方向：時計回り方向又はＣＣＷ方向：反時計回り方向）になぞる（或いは擦る，摺動する，摺接する）ことによって、すなわち、操作支援マーク２４をタッチパネル７の上から指等で同図矢印方向になぞることによって、当該カメラ１に対して、所定の動作を指示することができる。
【００３７】
一方、操作支援マーク２５は、四角形の形状を有しており、操作支援マーク２４の周囲に配置される。この操作支援マーク２５も、操作支援マーク２４と同様に、ハーフトーン状に表示される。このときに、カメラ操作者は、この操作支援マーク２５の領域に対応するタッチパネル７の操作領域を指や専用のペン或いはスティック等でタップする（或いは触れる，押圧する，タッチする）ことによって、すなわち、操作支援マーク２５をタッチパネル７の上から指等でタップすることによって、当該カメラ１に対して、所定の動作を指示することができる。
【００３８】
尚、同図に示したこれらの操作支援マーク２４，２５の配置は一例であり、例えば、操作支援マーク２５は、配置上の支障が無ければ複数設けるようにすることもでき、また、必要に応じて操作支援マーク２４は、液晶モニタ１８の表示画面中央から移動させて配置することもできる。
【００３９】
図４は、カメラ操作者がタッチパネル７を介して所望の画像データを検索或いは選択する際の、液晶モニタ１８に表示される画面の変化の一例を示す図である。
同図において、表示画面２７は、駒番号１０の画像データに係る画像が表示されたときの画面である。表示画面２７内の右下には、画像の駒番号が１０であることを示す”Ｎ＝０１０”が表示される。また、この表示画面には、図３を用いて説明したように、画像と共に操作支援マーク２４，２５が表示される。
【００４０】
この表示画面２７において、例えば、カメラ操作者が、操作支援マーク２４の領域に対応するタッチパネル７の操作領域をＣＷ方向になぞると、駒番号がカウントアップされ、該当する駒番号を含むファイル名の画像データが記録メディア１３から読み出される。そして、表示画面２８に示したように、駒番号１０の画像に代わって駒番号１１の画像データに係る画像が表示される。
【００４１】
このように、カメラ操作者が、操作支援マーク２４に対応するタッチパネル７の操作領域をＣＷ方向になぞることによって駒番号がカウントアップされ、カウントアップ前の画像に代わってカウントアップ後の駒番号の画像データに係る画像が表示されるようになる。また、このようなＣＷ方向へのなぞり操作が継続して行われることによって、駒番号がカウントアップする方向に画像がスクロール表示（単にスクロールアップともいう）されるようになる。
【００４２】
また、表示画面２７において、例えば、カメラ操作者が、操作支援マーク２４の領域に対応するタッチパネル７の操作領域をＣＣＷ方向になぞると、駒番号がカウントダウンされ、該当する駒番号を含むファイル名の画像データが記録メディア１３から読み出される。そして、表示画面２９に示したように、駒番号１０の画像に代わって駒番号９の画像データに係る画像が表示される。
【００４３】
このように、カメラ操作者が、操作支援マーク２４に対応するタッチパネル７の操作領域をＣＣＷ方向になぞることによって駒番号がカウントダウンされ、カウントダウン前の画像に代わってカウントダウン後の駒番号の画像データに係る画像が表示されるようになる。また、このようなＣＣＷ方向へのなぞり操作が継続して行われることによって、駒番号がカウントダウンする方向に画像がスクロール表示（単にスクロールダウンともいう）されるようになる。
【００４４】
これにより、カメラ操作者は、操作支援マーク２４をタッチパネル７の上から所望の方向になぞることによって、画像のスクロールアップ又はスクロールダウンを行うことが可能になる。
【００４５】
また、カメラ操作者は、このようにして所望の画像を表示させたところで、当該カメラ１に所定の操作を行うことで、例えば表示画面３０に示したように、画像と操作支援マーク２５のみを表示させることも可能になっている。これにより、カメラ操作者は所望の画像を操作支援マーク２４の無い状態で鑑賞することができる。また、この状態であるときに、カメラ操作者が、再度所定の操作を行うと、表示画面２７に示したように、再び操作支援マーク２４が表示されるようになり、再び画像の検索或いは選択が可能な状態となる。
【００４６】
尚、画像の選択が可能な状態（例えば表示画面２７，２８，２９）と画像を鑑賞するための状態（例えば表示画面３０）を切り替えるための操作手段としては、例えばカメラ操作ＳＷ２２やタッチパネル７等を利用することが可能である。本実施例では、タッチパネル７を利用して、これらの状態を切り替えるものとする。すなわち、表示されている操作支援マーク２５の領域に対応するタッチパネル７の操作領域をタップすることによって、これらの状態を切り替えるものとする。
【００４７】
図５は、本実施例に係るデジタルカメラ１の動作を示すフローチャートである。尚、本動作は、システムコントローラ１２が、ＦｌａｓｈＲｏｍ１０に記録されている制御プログラムを読み出し実行することによって行われる動作である。
【００４８】
同図において、カメラ操作ＳＷ２２の一つである不図示のＰｏｗｅｒＳＷがＯＮされると本動作が開始し、システムコントローラ１２は、まず、カメラ起動直後の動作モードとして撮影モードを設定する（ステップ（以下単に「Ｓ」という）１）。
【００４９】
尚、撮影モードが設定されているときには、カメラ操作ＳＷ２２の一つであるレリーズＳＷ３が操作されると、撮影動作を実行し、撮影された画像データが記録メディア１３に記録される。一方、記録メディア１３に記録された画像データに係る画像の閲覧は、再生モードが設定されているときに可能になっている。再生モードへの設定切り替えは、カメラ操作ＳＷ２２の一つであるＰＬＡＹモードＳＷ５の操作により可能である。また、撮影モードへの設定切り替えは、カメラ操作ＳＷ２２の一つであるＲＥＣモードＳＷ４の操作により可能である。
【００５０】
Ｓ１の後、続いて、ＰＬＡＹモードＳＷ５が操作されたか否かを判定し（Ｓ２）、その判定結果がＹｅｓの場合にはＳ３へ進み、Ｎｏの場合にはＳ１へ戻る。尚、Ｓ２がＮｏとなって処理がＳ１へ戻ったときには、Ｓ１にて、あらためて撮影モードの設定が行われることはない。
【００５１】
Ｓ２がＹｅｓの場合、続いて、動作モードを撮影モードから再生モードへ切り替え、そして駒番号Ｎｘの初期設定を行う（Ｓ３）。
尚、駒番号Ｎｘは、液晶モニタ１８に表示する画像に係る画像データの駒番号である。本実施例では、Ｓ３で初期設定される駒番号Ｎｘを、最後に撮影された画像データの駒番号とする。従って、再生モードに設定した直後の液晶モニタ１８には、最後に撮影された画像データに係る画像が表示される。但し、対応する画像データが存在するのであれば、初期設定される駒番号Ｎｘを他の駒番号とすることも可能である。
【００５２】
続いて、タッチパネル検出回路１９の動作を許可する（Ｓ４）。これは、例えば、タッチパネル検出回路１９への電力供給を制御する不図示の半導体ＳＷを、ＯＦＦからＯＮにすることによって行われる。
【００５３】
続いて、フラグの一つである選択許可フラグをセットする（Ｓ５）。選択許可フラグは、前述の図４を用いて説明した、再生モードにおける二つの状態の何れかを指示するために存在する。具体的には、選択許可フラグがセット（”1”）されている場合には、画像と共に操作支援マーク２４，２５が表示され、この時にカメラ操作者が操作支援マーク２４をタッチパネル７を介してＣＷ或いはＣＣＷ方向になぞることにより、駒番号Ｎｘがインクリメント或いはデクリメントされ、そのインクリメント或いはデクリメントされた駒番号Ｎｘに対応する画像データが記録メディア１３から読み出され液晶モニタ１８に表示されるようになる。一方、選択許可フラグがクリア（”０”）されている場合には、操作支援マーク２４が液晶モニタ１８に表示されないで画像と操作支援マーク２５のみが表示されるようになる。これは、画像鑑賞或いは画像観察の際には操作支援マーク２４が不要となり目障りとなるからである。尚、この場合には、操作支援マーク２４が表示されないことから、画像の選択が出来ないことになる。
【００５４】
Ｓ５の後、続いて、Ｓ４で設定された駒番号Ｎｘの画像データを記録メディア１３から読み出し（Ｓ６）、この読み出した画像データを液晶モニタ１８の表示サイズへ変換し、この変換後の画像データに、操作支援マーク２４，２５と撮影情報（例えば駒番号等）を合成し、この合成後の画像データを液晶モニタ駆動回路２０へ出力して液晶モニタ１８に表示する（Ｓ７）。
【００５５】
これらのＳ４乃至７の処理によって、動作モードが再生モードに切り替えられた後は、タッチパネル７の操作によって画像の選択が可能な状態となる。
Ｓ７の後、続いて、タッチパネル検出回路１９から、この時のタッチパネル７の操作位置に係る位置データ（操作位置データともいう）を読み出し（Ｓ８）、この時の操作位置データの有無を判定する。すなわち、タッチパネル７の操作が行われているか否かを判定し（Ｓ９）、その判定結果がＹｅｓ（有り）の場合にはＳ１０へ進み、Ｎｏ（無し）の場合にはＳ２５へ進む。
【００５６】
尚、カメラ操作者がタッチパネル７を操作すれば、操作位置に係る位置データがタッチパネル検出回路１９から出力されるので、Ｓ８及びＳ９の処理を周期的に実行することで、タッチパネル７の操作状態を監視するようにしている。
【００５７】
Ｓ９がＹｅｓの場合、続いて、Ｓ８で読み出した操作位置に係る位置データが、操作支援マーク２５の領域に対応するタッチパネル７の操作領域上に存在するか否かを判定する。すなわち、操作支援マーク２５上で操作されているか否かを判定し（Ｓ１０）、その判定結果がＹｅｓの場合にはＳ１１へ進み、Ｎｏの場合にはＳ１５へ進む。
【００５８】
Ｓ１０がＹｅｓの場合、続いて、選択許可フラグの状態を反転する（Ｓ１１）。すなわち、選択許可フラグが”１”ならば”０”に、”０”ならば”１”に設定する。
続いて、選択許可フラグが”１”であるか”０”であるかを判定し（Ｓ１２）、その判定結果が”１”の場合には、駒番号Ｎｘの画像データに係る画像と撮影情報（例えば駒番号等）と操作支援マーク２４，２５とを合成し該合成画像を液晶モニタ１８に表示し（Ｓ１３）、その判定結果が”０”の場合には、駒番号Ｎｘの画像データに係る画像と撮影情報（例えば駒番号等）と操作支援マーク２４のみを合成し該合成画像を液晶モニタ１８に表示する（Ｓ１４）。そして、処理がＳ２５へ進む。
【００５９】
これらのＳ８乃至１４の処理により、再生モードにおいて、カメラ操作者が、表示されている操作支援マーク２５の領域に対応するタッチパネル７の操作領域をタップ操作することにより、画像の選択が可能な状態（画像のスクロールが可能な状態）と画像を鑑賞するための状態とを切り替えることが可能になる。
【００６０】
一方、Ｓ１０がＮｏの場合、続いて、選択許可フラグが”１”であるか”０”であるかを判定し（Ｓ１５）、その判定結果が”１”の場合にはＳ１６へ進み、”０”の場合にはＳ２５へ進む。このように、選択許可フラグが”０”である場合には、液晶モニタ１８に操作支援マーク２４は表示されておらず画像を鑑賞するための状態であるので、Ｓ１６乃至Ｓ２４の処理をスキップしてＳ２５へ進むようになっている。
【００６１】
Ｓ１５が”１”の場合、続いて、Ｓ８で読み出された操作位置に係る位置データを直交座標から極座標（極軸座標ともいう）に座標変換する（Ｓ１６）。
ここで、直交座標から極座標への座標変換の手法を図６(a),(b) を用いて説明する。
【００６２】
同図(a) は、操作支援マーク２４，２５と操作位置との、タッチパネル７上での関係を示す図である。
同図(a) に示したように、タッチパネル７上には仮想の座標軸が設定されている。例えば、液晶モニタ１８の表示画面（タッチパネル）の左下角に基準点Ｐｘｙを設定し、直交座標の基準点Ｐｘｙとする。このＰｘｙを基準にＸ軸とＹ軸が設定される。この直交座標系を基に、タッチパネル検出回路１９は操作位置を直交座標データとして出力する。
【００６３】
操作支援マーク２５で規定される操作領域は、２つの点Ｐｔ１（ｘ１，ｙ１）とＰｔ２（ｘ２，ｙ２）とで定義される。このとき、次の式（１），式（２）の条件を満たせば、操作位置Ｐ（ｘ，ｙ）は、操作支援マーク２５上にある。
【００６４】
ｘ１＜ｘ＜ｘ２  式（１）
ｙ１＜ｙ＜ｙ２  式（２）
このように、四角形の形状を有する操作支援マーク２５は、直交座標系上での定義は容易であり、また、操作支援マーク２５上に操作位置を示す座標データが存在するか否かの判定も容易である。
【００６５】
一方、操作支援マーク２４で規定される操作領域は、２つの円Ｃａ，Ｃｂで定義される。ここで、２つの円の中央の座標をＰｒθ（ｘｃ，ｙｃ）とし、Ｃａの半径をＲａ、Ｃｂの半径をＲｂとする。このとき、次の式（３），式（４）の条件を満たせば、操作位置Ｐｇ（ｘ，ｙ）は、操作支援マーク２４上にある。
【００６６】
（Ｒａ）＾２＞（ｘ−ｘｃ）＾２＋（ｙ−ｙｃ）＾２  （３）
（Ｒｂ）＾２＜（ｘ−ｘｃ）＾２＋（ｙ−ｙｃ）＾２  （４）
このように、操作支援マーク２４上の操作位置を検出することは、操作支援マーク２５上の操作位置を検出することより煩雑である。一方で、操作支援マーク２４上の操作位置の軌跡（例えば同図(a) の操作軌跡３１）は、操作支援マーク２４で規定される操作領域の中心Ｐｒθを中心とする円弧状或いは円周状の曲線に近似することが可能である。従って、このような軌跡となる位置データを取り扱う場合には、直交座標より極座標を用いる方が好ましい。
【００６７】
そこで、同図(b) に示す如く極座標を設定する。この場合、同図(b) に示したように、極座標の基準位置を、操作支援マーク２４で規定される操作領域の中心点Ｐｒθとし、基準軸を仮にＰｒθからＸ軸に水平に設定する。
【００６８】
これにより、直交座標系のＸ，Ｙは、次式（５），（６）により、極座標系（極軸座標系ともいう）のＲ，θに変換することができる。
Ｒ＝（（Ｘ−Ｘｃ）＾２＋（Ｙ−Ｙｃ）＾２）＾（１／２）  （５）
θ＝ａｒｃｔａｎ（（Ｙ−Ｙｃ）／（Ｘ−Ｘｃ））          （６）
図５に戻り、このようにしてＳ１６で位置データが直交座標から極座標に変換されると、続いて、この極座標に変換された位置データが操作支援マーク２４上に存在するか否かを判定する。すなわち、操作支援マーク２４上で操作されているか否かを判定する（Ｓ１７）。このＳ１７では、Ｓ１６で座標変換を行うことで、タッチパネル７上の操作位置を極座標系で判断することができる。具体的には、Ｓ１６で座標変換された位置データＰｇ（ｒ，θ）を、２つの円Ｃａ，Ｃｂの半径Ｒａ，Ｒｂと比較し、次の式（７）に基づき、操作位置が操作支援マーク２５内に存在するか否かを判定する。
【００６９】
Ｒｂ  ＜  r  ＜  Ｒａ  式（７）
このように、操作位置Ｐｇの座標を直交座標から極座標に変換することによって、判定が容易になる。
【００７０】
このＳ１７の判定において、その判定結果がＹｅｓの場合（式（７）の条件を満たす場合）にはＳ１８へ進み、Ｎｏの場合（式（７）の条件を満たさない場合）にはＳ２５へ進む。尚、カメラ操作者が、操作支援マーク２４で規定される操作領域外を操作した場合には、Ｓ１７がＮｏとなり、操作が無いと判定される。
【００７１】
Ｓ１７がＹｅｓの場合、続いて、タッチパネル７上の操作軌跡（操作量と操作方向）の算出を行う（Ｓ１８）。尚、タッチパネル検出回路１９からの操作位置データの読み込みは所定周期で実行されており、Ｓ１８では、これらの操作位置データを基に、操作軌跡として操作量（操作角度）と操作方向とを求める。
【００７２】
続いて、Ｓ１８で求めた操作量（θｘ）が所定値（θｘ０）を超えたか否か（θｘ＞θｘ０であるか否か）を判定し、その判定結果がＹｅｓの場合にはＳ２０へ進み、Ｎｏの場合にはＳ２５へ進む。
【００７３】
Ｓ１９がＹｅｓの場合、続いて、Ｓ１８で求めた操作方向がＣＷ方向であるかＣＣＷ方向であるかを判定し（Ｓ２０）、その判定結果がＣＷ方向の場合には駒番号Ｎｘをカウントアップし（Ｓ２１）、その判定結果がＣＣＷ方向の場合には駒番号Ｎｘをカウントダウンし（Ｓ２２）、そして駒番号Ｎｘの画像データを記録メディア１３から読み出す（Ｓ２３）。
【００７４】
図７は、操作支援マーク２４上の操作軌跡の一例を示す図である。同図において、操作軌跡３２は、複数の操作位置（Ｐ０，Ｐ１，Ｐ２，…，Ｐｎ）により形成される操作軌跡を示している。ここで、操作位置Ｐ０を角度（θｘ）の測定開始基準位置として仮定し、Ｐ０の極座標（Ｒ０，θ０）を基準に、Ｐ１（Ｒ１，θ１）からＰ３（Ｒ３，θ３）まで順に各々の位置で角度θｘの測定を行い、Ｐ３における角度θｘ（＝θ０−θ３）が所定値θｘ０を超えたとする。すると、この時の駒番号Ｎｘの変更動作が実行される。本例では、これらの操作位置データから操作方向がＣＷ方向と判定されるので、駒番号Ｎｘがカウントアップされる。そして、次にＰ３を新たな測定開始基準位置として設定し再び順に角度θｘの測定を行い、Ｐ７におけるθｘが所定値θｘ０を超えたとすると、ここで更に駒番号Ｎｘの変更動作が行われる。このように、操作軌跡の角度θｘが所定値以上になる毎に駒番号Ｎｘの変更が行われる。従って、操作支援マーク２４上での操作が続く限り、この動作が繰り返し行われる。尚、所定値θｘ０や、操作方向とカウント方向との関係は、固定でも良いし、カメラ使用者が好みで設定できるようにしても良い。このようにすると、カメラ操作者の使い勝手を更に向上させることができる。
【００７５】
Ｓ２３の後、続いて、Ｓ２３で読み出された画像データを液晶モニタ１８の表示サイズに変更し、これに操作支援マーク２４，２５を合成して液晶モニタ１８に表示する（Ｓ２４）。
【００７６】
Ｓ２４の後（又はＳ９がＮｏの場合，Ｓ１３若しくはＳ１４の後、Ｓ１５が”０”の場合，或いはＳ１７若しくはＳ１９がＮｏの場合）、続いて、ＲＥＣモードＳＷ４が操作されたか否かを判定し（Ｓ２５）、その判定結果がＹｅｓの場合にはＳ２６へ進み、Ｎｏの場合にはタッチパネル７の状態を検出するためＳ８へ戻る。
【００７７】
Ｓ２５がＹｅｓの場合、続いて、動作モードを再生モードから撮影モードに切り替え、タッチパネル検出回路１９の動作（タッチパネル検出回路１９への電力供給）を停止し（Ｓ２６）、液晶モニタ１８上の表示を消す（Ｓ２７）。そして、処理がＳ１へ戻る。
【００７８】
以上、本実施例によれば、直交座標系で表現されたタッチパネル７の操作位置データを、ドーナツ状の操作支援マーク２４の中央を基準とした極座標系へ変換する座標変換動作を行うことで、そのドーナツ状の操作支援マーク２４に沿ってタッチパネル７をなぞる操作を確実に検出することが可能になる。
【実施例２】
【００７９】
前述の実施例１では、ダイヤル相当の回転操作部材を類推させる操作方法をタッチパネル上で実行可能にする方法を開示したが、タッチパネル上の操作軌跡を直線状にすることも可能である。そこで、本実施例ではタッチパネル上の操作軌跡を直線状にした態様を説明する。
【００８０】
図８は、タッチパネル上を直線状に操作（直線操作）する際の操作支援マークの一例を示す図である。
同図において、帯状の形状を有する操作支援マーク３３は、液晶モニタ１８の表示画面３４のほぼ対角線の上に位置する。この操作支援マーク３３の同図網掛部分は、画像に合成されて表示されても画像の確認が可能になるようにハーフトーン状（半透明状）に表示される。カメラ操作者は、この操作支援マーク３３の領域（同図網掛部分）に対応するタッチパネル７の操作領域を指や専用のペン或いはスティック等でなぞる（或いは擦る，摺動する，摺接する）ことによって、すなわち、操作支援マーク３３をタッチパネル７の上から指等でなぞることによって、当該カメラ１に対して、所定の動作を指示することができる。
【００８１】
このときの直線操作の方向は、液晶モニタ１８の表示画面の略対角線上に沿っている。このように対角線上に操作領域を設定することで、操作量を最大に設定することができる。このことにより、小型の液晶モニタであっても操作し易くなる。またカメラを保持した状態で指を動かすには、人間工学上斜めに動かす方が操作し易いので好適である。
【００８２】
尚、同図に示したように、操作支援マーク３３中に操作方向を示す印（矢印３５，３６）を表示することによって、カメラ操作者に対して操作方法をわかり易く告知することができる。この場合、例えば、ユーザが矢印３５の方向になぞり操作を行うと表示画像の駒番号がカウントアップし、矢印３６の方向になぞり操作を行うと表示画像の駒番号がカウントダウンする。
【００８３】
また、操作支援マーク２５は、実施例１で説明したとおりである。
図９は、カメラ操作者がタッチパネル７を介して所望の画像データを検索或いは選択する際の、液晶モニタ１８に表示される画面の変化の一例を示す図である。
【００８４】
同図において、表示画面３７は、駒番号１０の画像データに係る画像が表示されたときの画面である。表示画面３７内の右下には、画像の駒番号が１０であることを示す”Ｎ＝０１０”が表示される。また、この表示画面３７には、図８を用いて説明したように、画像と共に操作支援マーク３３，２５が表示される。また、この表示画面内３７の上下には、操作方向とカウントの方向との対応関係をカメラ操作者に告知するための支援記号（図９の”ＣｏｕｎｔＵｐ”，”ＣｏｕｎｔＤｏｗｎ”）も表示される。
【００８５】
この表示画面３７において、例えば、カメラ操作者が、操作支援マーク３３の領域に対応するタッチパネル７の操作領域を右上から左下へなぞると、駒番号がカウントダウンされる。そして、駒番号０９の画像データに係る画像が、表示画面３８に示す如く液晶モニタ２８に表示される。
【００８６】
また、表示画面３７において、例えば、カメラ操作者が、操作支援マーク３３の領域に対応するタッチパネル７の操作領域を左下から右上へなぞると、駒番号がカウントアップされる。そして、駒番号１１の画像データに係る画像が、表示画面３９に示す如く液晶モニタ２８に表示される。
【００８７】
つまり、操作領域を所望の方向になぞることで液晶モニタ２８に表示される画像がスクロールアップ或いはスクロールダウンする。
また、カメラ操作者は、このようにして所望の画像を表示させたところで、当該カメラ１に所定の操作を行うことで、例えば表示画面４０に示したように、画像と操作支援マーク２５のみを表示させることも可能になっている。これにより、カメラ操作者は所望の画像を操作支援マーク３３と操作支援記号との無い状態で鑑賞することができる。また、この状態であるときに、カメラ操作者が、再度所定の操作を行うと、表示画面３７に示したように、再び操作支援マーク３３と操作支援記号が表示されるようになり、再び画像の検索或いは選択が可能な状態となる。
【００８８】
尚、画像の選択が可能な状態（例えば表示画面３７，３８，３９）と画像を鑑賞するための状態（例えば表示画面４０）を切り替えるための操作手段としては、例えばカメラ操作ＳＷ２２やタッチパネル７等を利用することが可能である。本実施例においても、実施例１と同様に、表示されている操作支援マーク２５の領域に対応するタッチパネル７の操作領域をタップすることによって、これらの状態を切り替えるものとする。
【００８９】
図１０は、本実施例に係るデジタルカメラ１の動作を示すフローチャートである。
同図において、Ｓ３１乃至４５では、操作支援マーク２４を操作支援マーク３３に置き換えた以外、図５のＳ１乃至１５と同じ処理が行われる。但し、Ｓ３７，Ｓ４３では、更に図９に示した操作支援記号（”ＣｏｕｎｔＵｐ”，”ＣｏｕｎｔＤｏｗｎ”）も合成表示される。
【００９０】
そして、Ｓ４５がＹｅｓの場合、続いて、Ｓ３８で読み出された操作位置に係る位置データの座標を回転移動し、座標変換を行う（Ｓ４６）。
ここで、この座標変換の手法を図１１(a),(b) を用いて説明する。
【００９１】
同図(a) は、操作支援マーク３３，２５と操作位置との、タッチパネル７上での関係を示す図である。
同図(a) に示したように、タッチパネル７上には、前述の図６(a) に示したもの同様に、仮想の座標軸が設定されている。ここでも、液晶モニタ１８の表示画面（タッチパネル）の左下角に基準点Ｐｘｙを設定し、直交座標の基準点Ｐｘｙとする。このＰｘｙを基準にＸ軸とＹ軸が設定される。タッチパネル検出回路１９は、この直交座標系を基に、操作位置を直交座標データとして出力する。
【００９２】
操作支援マーク２５で規定される操作領域は、前述の図６(a) に示したものと同様に、２つの点Ｐｔ１（ｘ１，ｙ１）とＰｔ２（ｘ２，ｙ２）とで定義される。このとき、前述の式（１），式（２）の条件を満たせば、操作位置Ｐ（ｘ，ｙ）は、操作支援マーク２５上にある。このように、四角形の形状を有する操作支援マーク２５は、前述でも述べたとおり、直交座標系上での定義は容易であり、また、操作支援マーク２５上に操作位置を示す座標データが存在するか否かの判定も容易である。
【００９３】
一方、帯状の操作支援マーク３３で規定される操作領域は、２つの直線Ｌ１，Ｌ２で定義される。尚、Ｌは操作支援マーク３３の長手方向長さを示し、Ｗは長手方向に直交する方向の長さを示している。このとき、次の式（８），式（９）の条件を満たせば、操作位置Ｐｇ（ｘ，ｙ）は、操作支援マーク３３上に存在する。
【００９４】
ｙ＜ａ・ｘ＋ｂ１  （８）
ｙ＞ａ・ｘ＋ｂ２  （９）
ここで、ａ，ｂ１，ｂ２は所定の定数である。
【００９５】
このように、操作支援マーク３３上の操作位置を検出することは、操作支援マーク２５上の操作位置を検出することより容易ではない。これは、操作支援マーク３３上の操作軌跡（例えば図１１(a) の操作軌跡４１）はほぼ直線上にあるが、操作支援マーク３３がＸ軸に対して所定の角度θで傾斜しているために操作軌跡の検出を難しくしているからである。従って、このような操作軌跡データを取り扱うために、座標軸に対する傾斜を無くすことが好ましい。すなわち、角度θをゼロにすることが好ましい。
【００９６】
そこで、本実施例では、図１１(b) に示す如く座標系を設定する。この場合、同図(b) に示したように、ＸＹ座標軸を、原点を中心に角度θ回転し、新たな座標軸としてＵ軸，Ｖ軸を設定する。これにより、操作支援マーク３３の中心線ＬｃはＵ軸に重なる。ＸＹ座標系の位置データＰｇ（ｘ，ｙ）は、次の式（１０），式（１１）によってＵＶ座標系の位置データＰｇ（ｕ，ｖ）へ変換される。
【００９７】
ｕ＝  ｃｏｓθ・ｘ＋ｓｉｎθ・ｙ  （１０）
ｖ＝−ｓｉｎθ・ｘ＋ｃｏｓθ・ｙ  （１１）
図１０に戻り、このようにしてＳ４６で座標変換が行われた後、続いて、この座標変換された位置データが操作支援マーク３３上に存在するか否かを判定する。すなわち、操作支援マーク３３上で操作されているか否かを判定する（Ｓ４７）。このＳ４７では、Ｓ４６で座標変換を行うことで、タッチパネル７上の操作位置をＵＶ座標系で判断することができる。具体的には、次の式（１２）に基づき、Ｓ４６で座標変換された位置データＰｇ（ｕ，ｖ）が操作支援マーク３３内に存在するか否かを判定する。
【００９８】
−１／２Ｗ  ＜  ｖ  ＜１／２Ｗ  式（１２）
ここで、Ｗは、図１１(a) に示したとおり、操作支援マーク３３の幅を示す。
このように操作位置Ｐｇの座標軸を回転することによって、判定が容易になる。
【００９９】
このＳ４７の判定において、その判定結果がＹｅｓの場合（式（１２）の条件を満たす場合）にはＳ４８へ進み、Ｎｏの場合（式（１２）の条件を満たさない場合）にはＳ５５へ進む。尚、カメラ操作者が、操作支援マーク３３で規定される操作領域外を操作した場合には、Ｓ４７がＮｏとなり、操作が無いと判定される。
【０１００】
Ｓ４７がＹｅｓの場合、続いて、タッチパネル７上の操作軌跡（操作量と操作方向）の算出を行う（Ｓ４８）。尚、タッチパネル検出回路１９からの操作位置データの読み込みは所定周期で実行されており、Ｓ４８では、これらの操作位置データを基に、操作軌跡として操作量と操作方向とを求める。
【０１０１】
続いて、Ｓ４８で求めた操作量（Ｕｘ）が所定値（Ｕｘ０）を超えたか否か（Ｕｘ＞Ｕｘ０であるか否か）を判定し（Ｓ４９）、その判定結果がＹｅｓの場合にはＳ５０へ進み、Ｎｏの場合にはＳ５５へ進む。
【０１０２】
Ｓ４９がＹｅｓの場合、続いて、Ｓ４８で求めた操作方向が、左下から右上の方向（同図の”ｕｐ”）であるか右上から左下の方向（同図の”ｄｏｗｎ”）であるかを判定し（Ｓ５０）、その判定結果が”ｕｐ”の場合には駒番号Ｎｘをカウントアップし（Ｓ５１）、その判定結果が”ｄｏｗｎ”の場合には駒番号Ｎｘをカウントダウンし（Ｓ５２）、そして駒番号Ｎｘの画像データを記録メディア１３から読み出す（Ｓ５３）。
【０１０３】
図１２は、操作支援マーク３３上の操作軌跡の一例を示す図である。同図において、操作軌跡４２は、複数の操作位置（Ｐ０，Ｐ１，Ｐ２，…，Ｐｎ）により形成される操作軌跡を示している。ここで、操作位置Ｐ１を長さ（Ｕｘ）の測定開始基準位置と仮定し、Ｐ０の座標（ｕ０，ｖ０）を基準に、Ｐ１（ｕ１，ｖ１）からＰ３（ｕ３，ｖ３）まで順に各々の位置で長さＵｘの測定を行い、Ｐ３におけるが長さＵｘ（＝ｕ０−ｕ３）が所定値Ｕｘ０を超えたとする。すると、この時の駒番号Ｎｘの変更動作が実行される。本例では、これらの操作位置データから操作方向が左下から右上の方向と判定されるので、駒番号Ｎｘがカウントアップされる。そして、次にＰ３を新たな測定開始基準座標として設定し再び順に長さＵｘの測定を行う。例えば、Ｐ６におけるＵｘが所定値Ｕｘ０を超えたとすると、ここで更に駒番号Ｎｘの変更動作が行われる。このように、操作軌跡の長さ（Ｕ軸成分）が所定値以上になる毎に駒番号Ｎｘの変更が行われる。従って、操作支援マーク３３上での操作が続く限り、この動作が繰し行われる。尚、所定値Ｕｘ０や、操作方向とカウント方向との関係は、固定でも良いし、カメラ使用者が好みで設定できるようにしても良い。このようにすると、カメラ操作者の使い勝手を更に向上させることができる。
【０１０４】
Ｓ５３後、続くＳ５４乃至５７では、操作支援マーク２４を操作支援マーク３３に置き換えた以外、図５のＳ２４乃至２７と同じ処理が行われる。但し、Ｓ５４では、更に図９に示した操作支援記号（”ＣｏｕｎｔＵｐ”，”ＣｏｕｎｔＤｏｗｎ”）も合成表示される。
【０１０５】
尚、本フローのＳ４６乃至４７において、ＸＹ座標軸を、原点を中心に角度θ´回転し、Ｖ軸が操作支援マーク３３の中心線Ｌｃと重なるように設定するようにすることも可能である。この場合には、前述の式（１０），式（１１）に対応する２つの式を用いて、ＸＹ座標系の位置データをＵＶ座標系の位置データへ変換し、前述の式（１２）に対応する式を用いて、ＵＶ座標系の位置データが操作支援マーク３３内に存在するか否かを判定するようにする。
【０１０６】
以上、本実施例によれば、液晶モニタ１８の表示画面に対して傾いた帯状の操作支援マーク上の操作位置データを検出する際に、この傾きに応じてタッチパネルに予め規定されている座標軸を回転移動することで、任意に画面上に帯状の操作支援マークを配置しても、この操作支援マーク上をなぞる操作を確実に検出することが可能になる。
【０１０７】
以上、実施例１及び２について説明したが、実施例１において、タッチパネルの操作状態を確実に検出するためには、上述の直交座標系のデータを極座標系のデータへ変換する変換式（５），（６）を高速に演算する必要があるが、システムコントローラ１２の中に組み込まれたＣＰＵの演算能力が低い場合或いはＣＰＵをこの演算処理に占有できない場合には、変換式（５），（６）を所望の時間で実行できない。また、実施例２においても、上述の座標系を回転移動させるための変換式（１０），（１１）において、同様の状況が発生する。
【０１０８】
そこで、このような状況に対応するために、タッチパネル検出回路１９の中に座標変換のための専用の演算回路を設けるようにすることも可能である。この演算回路は、ハードウェアのみの構成でもよいし、変換式の計算を行う専用のＣＰＵであってもよい。
【０１０９】
図１３は、座標変換のための専用の演算回路を設けたタッチパネル検出回路の構成を示すブロック図である。
同図において、タッチパネル検出回路１９´の制御＆通信回路４３は、システムコントローラ１２からの命令を受けてタッチパネル７上の操作位置データを測定する。そして命令に応じて操作位置データを所望の座標系へ変換して送信する。タッチパネル７からは、操作位置に応じてＸ軸に対応した電圧ＶｘとＹ軸に対応した電圧Ｖｙが出力される。この電圧は、マルチプレクサ（ＭＰＸ）４４を介してＡ／Ｄコンバータ４５へ入力される。Ａ／Ｄコンバータ４５の出力は、座標値変換回路４６によって直交座標系の位置データ（ｘ，ｙ）に変換される。
【０１１０】
システムコントローラ１２が直交座標における位置データの送信を要求すると、位置データ（ｘ，ｙ）が送信される。
また、システムコントローラ１２が極座標の位置データを要求すると、位置データ（ｘ，ｙ）は極座標変換回路４７へ入力される。そして、式（５），式（６）の変換動作を専用に実行する回路によって極座標系の位置データ（ｒ，θ）が演算される。そして、制御＆通信回路４３によってシステムコントローラ１２へ送信される。極座標系の原点座標（図６(a),(b) 上のＰｒθ（Ｘｃ，Ｙｃ））はシステムコントローラ１２から送信される。従って、操作支援マーク２４の配置位置に応じて座標の原点を変更することができる。
【０１１１】
また、システムコントローラ１２が座標軸の回転移動を要求すると、位置データ（ｘ，ｙ）は、座標回転移動回路４８へ入力される。そして、式（１０），式（１１）の変換動作を専用に実行する回路によって回転された座標系の位置データ（ｕ，ｖ）が演算される。そして制御＆通信画路４３によってシステムコントローラへ送信される。座標の回転角度（図１１(b) のθ）はシステムコントローラ１２から送信される。従って、操作支援マーク３３の配置位置に応じて座標の回転移動ができる。
【０１１２】
このような構成のタッチパネル検出回路１９´を実施例１に適用した場合、図５に示したフローチャートは次のように変更される。すなわち、図５のＳ１６は、図１４に示したＳ１６ａ及びＳ１６ｂに置き換えられる。
【０１１３】
同図において、Ｓ１６ａでは、タッチパネル検出回路１９´に対して極座標系の原点データ（Ｘｃ，Ｙｃ）を送り、そして極座標系の操作位置データを要求する。すると、タッチパネル検出回路１９´がタッチパネル７から検出した位置データ（ｘ，ｙ）を極軸系の位置データ（ｒ，θ）へ変換して送信する。この位置データの受信は、Ｓ１６ｂで行われる。
【０１１４】
また、このタッチパネル検出回路１９´を実施例２に適用した場合、図１０に示したフローチャートは次のように変更される。すなわち、図１０のＳ４６は、図１５に示したＳ４６ａ及びＳ４６ｂに置き換えられる。
【０１１５】
同図において、Ｓ４６ａでは、タッチパネル検出回路１９´に対して座標の回転角度θを送り、そして回転移動された直交座標系の操作位置データを要求する。すると、タッチパネル検出回路１９´がタッチパネル７から検出した位置データ（ｘ，ｙ）を回転移動し、新たな位置データ（ｕ，ｖ）へ変換して送信する。この位置データの受信は、Ｓ４６ｂで行われる。
【０１１６】
このように、座標変換に必要な演算を専門に実行する演算回路をタッチパネル検出回路に設けることによって、タッチパネルの操作状態を高速に検出できる。また、システムコントローラ１２の負荷が減るので、タッチパネル７の状態検出動作と平行して別の処理を実行できる。
【０１１７】
また、上述した実施例１及び２では、画像データの選択と表示に関する技術を示したが、この技術はコンテンツデータの選択と表示に利用することも出来る。例えば音楽データの選択と再生に応用することも可能である。この場合、画像の選択が可能な状態において音楽データの選択を行い、画像の観賞が可能な状態において音楽データの再生を行うようにすればよい。また、例えば電子データとして配布される小説や漫画の選択に応用することも可能である。この場合、画像の選択が可能な状態において小説や漫画のタイトルを表示し、画像の観賞が可能な状態において、選択された小説や漫画の内容を表示すればよい。
【０１１８】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１１９】
【図１Ａ】本発明に係る再生装置を適用したデジタルカメラの外観斜視図である。
【図１Ｂ】本発明に係る再生装置を適用したデジタルカメラの外観斜視図である。
【図２】デジタルカメラの主要構成を示す図である。
【図３】実施例１に係る、デジタルカメラの液晶モニタの表示画面に表示されるデータと共に合成されて表示される操作支援マークの一例を示す図である。
【図４】実施例１に係る、カメラ操作者がタッチパネルを介して所望の画像データを検索或いは選択する際の、液晶モニタに表示される画面の変化の一例を示す図である。
【図５】実施例１に係るデジタルカメラの動作を示すフローチャートである。
【図６】(a),(b) は直交座標から極座標への座標変換の手法を説明する図である。
【図７】ドーナツ形状を有する操作支援マーク上の操作軌跡の一例を示す図である。
【図８】実施例２に係る、タッチパネル上を直線状に操作する際の操作支援マークの一例を示す図である。
【図９】実施例２に係る、カメラ操作者がタッチパネルを介して所望の画像データを検索或いは選択する際の、液晶モニタに表示される画面の変化の一例を示す図である。
【図１０】実施例２に係るデジタルカメラの動作を示すフローチャートである。
【図１１】(a),(b) は、実施例２に係る座標変換の手法を説明する図である。
【図１２】帯状の形状を有する操作支援マーク上の操作軌跡の一例を示す図である。
【図１３】座標変換のための専用の演算回路を設けたタッチパネル検出回路の構成を示すブロック図である。
【図１４】座標変換のための専用の演算回路を設けたタッチパネル検出回路を実施例１に適用したときのＳ１６の処理例を示す図である。
【図１５】座標変換のための専用の演算回路を設けたタッチパネル検出回路を実施例２に適用したときのＳ４６の処理例を示す図である。
【符号の説明】
【０１２０】
１      デジタルカメラ
２      撮影レンズ
３      レリーズＳＷ
４      ＲＥＣモードＳＷ
５      ＰＬＡＹモードＳＷ
６      タッチパネル
７      ジャック
８      ＣＣＤ
９      ＣＣＤインターフェース回路
１０    ＦｌａｓｈＲｏｍ
１１    ＳＤＲＡＭ
１２    システムコントローラ
１３    記録メディア
１４    マイク
１５    音声コーデック回路
１６    ヘッドフォン
１７    ジャック
１８    液晶モニタ
１９、１９´  タッチパネル検出回路
２０    液晶モニタ駆動回路
２１    白黒ＬＣＤ
２２    カメラ操作ＳＷ
２３    ＵＳＢコントローラ
２４    第二の操作支援マーク
２５    第一の操作支援マーク
２６、２７、２８、２９、３０  表示画面
３１、３２  操作軌跡
３３    操作支援マーク
３４    表示画面
３５、３６  矢印
３７，３８，３９，４０  表示画面
４１，４２  操作軌跡
４３    制御＆通信回路
４４    ＭＰＸ
４５    Ａ／Ｄコンバータ
４６    座標値変換回路
４７    極座標変換回路
４８    座標回転移動回路
【図１Ａ】
2006119854.tif 000003
【図１Ｂ】
2006119854.tif 000004
【図２】
2006119854.tif 000005
【図３】
2006119854.tif 000006
【図４】
2006119854.tif 000007
【図５】
2006119854.tif 000008
【図６】
2006119854.tif 000009
【図７】
2006119854.tif 000010
【図８】
2006119854.tif 000011
【図９】
2006119854.tif 000012
【図１０】
2006119854.tif 000013
【図１１】
2006119854.tif 000014
【図１２】
2006119854.tif 000015
【図１３】
2006119854.tif 000016
【図１４】
2006119854.tif 000017
【図１５】
2006119854.tif 000018